(57)【要約】【課題】ゴミ捨てが容易な集塵容器および電気掃除機を提供する。【解決手段】ダストカップ５２は、電動送風機４によって形成された吸気流をその周方向に沿って受け入れる集塵容器である。ダストカップ５２内では、ダストカップ５２の深さ方向に進みながらダストカップ５２の内周面に沿って旋回する螺旋状の旋回流が形成される。ダストカップ５２は、塵埃をプラスに帯電させる「第１部分」と、塵埃をマイナスに帯電させる「第２部分」とを備える。「第１部分」に位置するダストカップ５２は、塵埃をプラスに帯電させるプラス帯電材料６で構成され、「第２部分」に位置するダストカップ５２は、塵埃をマイナスに帯電させるマイナス帯電材料７で構成されている。「第１部分」と「第２部分」とは、ダストカップ５２の深さ方向に交互に並ぶように形成されている。【選択図】図３
2007330666.tif 000002
【特許請求の範囲】
【請求項１】
円筒状の形状を有し、電動送風機によって形成された吸気流をその周方向に沿って受け入れる集塵容器であって、
前記塵埃をプラスに帯電させる第１部分と、
前記塵埃をマイナスに帯電させる第２部分とを備え、
前記吸気流は、前記集塵容器内で該集塵容器の深さ方向に進みながら前記集塵容器の内周面に沿って旋回し、
前記第１と第２部分は、前記集塵容器の深さ方向に並ぶように設けられる、集塵容器。
【請求項２】
前記第１部分に位置する前記集塵容器は、前記塵埃をプラスに帯電させる材料で構成され、
前記第２部分に位置する前記集塵容器は、前記塵埃をマイナスに帯電させる材料で構成された、請求項１に記載の集塵容器。
【請求項３】
前記第１部分に位置する前記集塵容器の内面は、前記塵埃をプラスに帯電させる材料で覆われ、
前記第２部分に位置する前記集塵容器の内面は、前記塵埃をマイナスに帯電させる材料で覆われた、請求項１に記載の集塵容器。
【請求項４】
電動送風機と、
前記電動送風機によって吸引された空気を旋回させ、前記空気に含まれる塵埃を遠心分離させて集積するサイクロン集塵機とを備え、
前記サイクロン集塵機は、請求項１から請求項３のいずれかに記載の集塵容器を含む、電気掃除機。
【請求項５】
電動送風機と、
前記電動送風機によって吸引された空気を旋回させ、前記空気に含まれる塵埃を遠心分離させて集積するサイクロン集塵機とを備え、
前記サイクロン集塵機は、電動送風機によって形成された旋回流に含まれる塵埃を集積するための集塵容器を含み、
前記電気掃除機は、前記集塵容器に発生した静電気の電位を低減させる電位低減部をさらに備えた、電気掃除機。
【請求項６】
前記集塵容器は金属で構成される金属部分と樹脂で構成される樹脂部分とを有し、
前記集塵容器の内面の少なくとも一部に前記金属部分が形成され、
前記金属部分と前記電動送風機の金属外殻部とを電気的に接続することで前記電位低減部が形成される、請求項５に記載の電気掃除機。
【請求項７】
前記集塵容器は金属で構成される金属部分と樹脂で構成される樹脂部分とを有し、
前記集塵容器の内面の少なくとも一部に前記金属部分が形成され、
放電ギャップを介して、前記電動送風機に対して電源側に位置する回路に前記金属部分を接続することで前記電位低減部が形成される、請求項５に記載の電気掃除機。
【請求項８】
金属と樹脂との一体成型により前記金属部分と前記樹脂部分とを有する前記集塵容器が形成される、請求項５から請求項７のいずれかに記載の電気掃除機。
【請求項９】
前記金属部分は前記樹脂部分に形成されためっき部分を含む、請求項５から請求項７のいずれかに記載の電気掃除機。
【発明の詳細な説明】
【技術分野】
【０００１】
本発明は、集塵容器および電気掃除機に関し、特に、遠心分離された塵埃を集積するための集塵容器および該集塵容器を備えたサイクロン式電気掃除機に関する。
【背景技術】
【０００２】
集塵容器内で塵埃を旋回させて集積させるサイクロン式電気掃除機が従来から知られている。
【０００３】
たとえば、特開２００４−２０８９４３号公報（特許文献１）においては、サイクロン式電気掃除機のダストカップであって、表面固有抵抗が１０10Ω／ｃｍ2未満の樹脂で構成されたものが開示されている。
【０００４】
また、特開２００４−１７３９６４号公報（特許文献２）においては、集塵した塵埃を帯電させる静電気発生通路と帯電された塵埃とは逆極性にエレクトレット処理された集塵部とを備えた電気掃除機が開示されている。
【特許文献１】特開２００４−２０８９４３号公報
【特許文献２】特開２００４−１７３９６４号公報
【発明の開示】
【発明が解決しようとする課題】
【０００５】
サイクロン掃除機においては、塵埃が集塵容器の中で高速に回転するため、塵埃と集塵容器の壁面との間の摩擦により静電気が発生し、微細塵が集塵容器の壁面に付着し、塵離れが悪くなる場合がある。
【０００６】
特許文献１に記載された集塵容器においては、ダストカップの壁面の表面固有抵抗が一定値以下に抑制されているが、必ずしも十分に塵離れを促進できない場合がある。
【０００７】
また、特許文献２に記載された電気掃除機においては、集塵した塵埃を帯電させているため、集塵容器の壁面に塵埃が付着しやすくなる。
【０００８】
本発明は、上記のような問題に鑑みてなされたものであり、本発明の目的は、ゴミ捨てが容易な集塵容器および電気掃除機を提供することにある。
【課題を解決するための手段】
【０００９】
本発明に係る集塵容器は、円筒状の形状を有し、電動送風機によって形成された吸気流をその周方向に沿って受け入れる集塵容器であって、塵埃をプラスに帯電させる第１部分と、塵埃をマイナスに帯電させる第２部分とを備える。ここで、吸気流は、集塵容器内で該集塵容器の深さ方向に進みながら集塵容器の内周面に沿って旋回する。そして、第１と第２部分は、集塵容器の深さ方向に並ぶように設けられる。
【００１０】
上記構成によれば、集塵容器内に吸引された塵埃が、プラスに帯電後マイナスに帯電、または、マイナスに帯電後プラスに帯電されることにより電気的に中和されるため、集塵容器内面への塵埃の付着が抑制され、集塵容器からのゴミ捨てが容易になる。
【００１１】
１つの局面では、第１部分に位置する集塵容器は、塵埃をプラスに帯電させる材料で構成され、第２部分に位置する集塵容器は、塵埃をマイナスに帯電させる材料で構成される。
【００１２】
他の局面では、第１部分に位置する集塵容器の内面は、塵埃をプラスに帯電させる材料で覆われ、第２部分に位置する集塵容器の内面は、塵埃をマイナスに帯電させる材料で覆われる。
【００１３】
本発明に係る電気掃除機は、電動送風機と、電動送風機によって吸引された空気を旋回させ、空気に含まれる塵埃を遠心分離させて集積するサイクロン集塵機とを備える。
【００１４】
１つの局面では、サイクロン集塵機は、上述した第１と第２部分を有する集塵容器を含む。これにより、集塵容器からのゴミ捨てが容易な電気掃除機が提供される。
【００１５】
他の局面では、電気掃除機は、集塵容器に発生した静電気の電位を低減させる電位低減部をさらに備える。これにより、集塵容器に発生した静電気の電位が低減され、集塵容器への塵埃の付着を抑制することができる。この結果、集塵容器からのゴミ捨てが容易な電気掃除機が提供される。
【００１６】
ここで、集塵容器は金属で構成される金属部分と樹脂で構成される樹脂部分とを有し、集塵容器の内面の少なくとも一部に金属部分が形成される。
【００１７】
１つの局面では、金属部分と電動送風機の金属外殻部とを電気的に接続することで電位低減部が形成される。他の局面では、放電ギャップを介して、電動送風機に対して電源側に位置する回路に金属部分を接続することで電位低減部が形成される。
【００１８】
また、１つの局面では、金属と樹脂との一体成型により金属部分と樹脂部分とを有する集塵容器が形成される。他の局面では、金属部分は樹脂部分に形成されためっき部分を含む。
【発明の効果】
【００１９】
本発明によれば、サイクロン式電気掃除機の集塵容器からのゴミ捨てを容易にすることができる。
【発明を実施するための最良の形態】
【００２０】
以下に、本発明の実施の形態について説明する。なお、同一または相当する部分に同一の参照符号を付し、その説明を繰返さない場合がある。
【００２１】
なお、以下に説明する実施の形態において、個数、量などに言及する場合、特に記載がある場合を除き、本発明の範囲は必ずしもその個数、量などに限定されない。また、以下の実施の形態において、各々の構成要素は、特に記載がある場合を除き、本発明にとって必ずしも必須のものではない。また、以下に複数の実施の形態が存在する場合、特に記載がある場合を除き、各々の実施の形態の特徴部分を適宜組合わせることは、当初から予定されている。
【００２２】
図１は、本発明の１つの実施の形態に係る電気掃除機を示した図である。図１を参照して、本実施の形態に係る電気掃除機は、掃除機本体１と、吸引経路２と、吸込口体３と、電動送風機４と、サイクロン集塵機５とを含んで構成される。吸引経路２は、延長管２１と、接続ホース２２とを含む。
【００２３】
吸引経路２は、吸込口体３から吸引された空気を掃除機本体１に供給するための供給路である。吸込口体３は、電動送風機４の運転により、空気吸込口を介して空気を吸引する。
【００２４】
電動送風機４およびサイクロン集塵機５は、掃除機本体１の内部に設けられる。電動送風機４は、吸込口体３、吸込経路２およびサイクロン集塵機５を介して空気を吸引するものである。サイクロン集塵機５は、電動送風機４によって吸引された空気を旋回させ、上記空気に含まれる塵埃を遠心分離して集積するものであり、掃除機本体１に対して着脱可能に設けられている。
【００２５】
図２は、サイクロン集塵機５の構成を示した図である。図２を参照して、サイクロン集塵機５は、吸引経路２を介して流入した空気を旋回させるサイクロン集塵室５１と、ダストカップ５２（集塵容器）と、内筒フィルタ５３とを含む。ダストカップ５２は、サイクロン集塵室５１において空気から分離された塵埃を集積するものである。内筒フィルタ５３は、塵埃が分離された後の空気をサイクロン集塵室５１から外部に排出するための筒状フィルタであり、その周面には複数の開口部が形成されている。またそれらの開口部には、上記空気に含まれる微細塵を除去する為のメッシュ状のフィルタが設けられている。
【００２６】
掃除機本体１に収納された電動送風機４が駆動されると、吸込口体３の空気吸込口から空気が吸引される。当該空気は、延長管２１、接続ホース２２を介してサイクロン集塵機５に送られる。サイクロン集塵機５においては、ダストカップ５２の周方向（接線方向）に沿ってダストカップ５２に吸気流が導入される。これにより、サイクロン集塵室５１において上方向から下方向（すなわち、ダストカップ５２の深さ方向）に進みながらダストカップ５２の内周面に沿って旋回する螺旋状の旋回流が形成され、吸気中に含まれる塵埃が遠心分離される。遠心分離された塵埃は、ダストカップ５２に集積される。一方、塵埃の除去された空気は、サイクロン集塵機５の内筒フィルタ５３を介して掃除機本体１に設けられた排出口より機外に排出される。
【００２７】
図３は、ダストカップ５２の一例を示した図である。図３を参照して、本実施の形態に係るダストカップ５２は、電動送風機４によって形成された旋回流に含まれる塵埃を集積するための集塵容器である。ダストカップ５２は、塵埃をプラスに帯電させる「第１部分」と、塵埃をマイナスに帯電させる「第２部分」とを備える。
【００２８】
図３の例では、「第１部分」に位置するダストカップ５２は、塵埃をプラスに帯電させるプラス帯電材料６で構成され、「第２部分」に位置するダストカップ５２は、塵埃をマイナスに帯電させるマイナス帯電材料７で構成されている。プラス帯電材料６で構成された部分とマイナス帯電材料７で構成された部分とは、ダストカップ５２の深さ方向（上下方向、すなわち、上記旋回流の進行方向）に交互に並ぶように設けられている。このようにすることで、ダストカップ５２内に吸引された塵埃が、プラスに帯電後マイナスに帯電、または、マイナスに帯電後プラスに帯電されることにより電気的に中和されるため、ダストカップ５２内面への塵埃の付着が抑制され、ダストカップ５２からのゴミ捨てが容易になる。
【００２９】
プラス帯電材料６およびマイナス帯電材料７としては、摩擦帯電列表を参照しながら、適当なものが適宜選択される。プラス帯電材料６としては、たとえば、アルミニウムなどが考えられる。マイナス帯電材料７としては、たとえば、フッ素樹脂（テフロン（登録商標））などが考えられる。
【００３０】
図４は、ダストカップ５２の変形例を示した図である。図４の例では、「第１部分」に位置するダストカップ５２の内面は、塵埃をプラスに帯電させるプラス帯電材料６で覆われ、「第２部分」に位置するダストカップ５２の内面は、塵埃をマイナスに帯電させるマイナス帯電材料７で覆われている。ここで、プラス帯電材料６およびマイナス帯電材料７は、たとえば、蒸着、めっき、接着、嵌め込みなどの手法で設けられる。このようにすることで、異種材料でダストカップ５２を構成する必要がなくなり、コストを安く抑えながら、静電気による塵埃の付着が抑制されたダストカップ５２を得ることができる。
【００３１】
図５，図６は、ダストカップ５２の他の変形例を示した図である。図５の例では、ダストカップ５２は、金属で構成される金属部分８と樹脂で構成される樹脂部分９とを有している。換言すると、金属部分８と樹脂部分９とを一体成型することでダストカップ５２が形成されている。図５，図６に示すように、ダストカップ５２の内面の少なくとも一部に金属部分８が形成される。金属部分８は、ダストカップ５２の電位を低減させる「電位低減部」に接続されている。このようにすることで、ダストカップ５２に発生した静電気の電位が低減され、ダストカップ５２への塵埃の付着を抑制することができる。なお、図６の例では、ダストカップ５２における樹脂部分９の内周面上に設けられた金属めっき部分８Ａが、ダストカップ５２における「金属部分」を構成している。
【００３２】
図７，図８は、「電位低減部」の例を示した図である。図７の例では、ダストカップ５２における金属部分８（または、めっき部分８Ａ）と電動送風機４の金属外殻部とを電気的に接続している。このようにすることで、ダストカップ５２に発生した静電気を電動送風機４の金属外郭部に流すことができるので、上述した「電位低減部」が形成される。また、図８の例では、電動送風機４、交流電源１１およびスイッチ１２を含む回路が形成されている。ここで、放電ギャップ１０を介して、電動送風機４に対して交流電源１１側に位置する回路に金属部分８（または、めっき部分８Ａ）を接続することで「電位低減部」が形成される。
【００３３】
以上、本発明の実施の形態について説明したが、今回開示された実施の形態はすべての点で例示であって制限的なものではないと考えられるべきである。本発明の範囲は特許請求の範囲によって示され、特許請求の範囲と均等の意味および範囲内でのすべての変更が含まれることが意図される。
【図面の簡単な説明】
【００３４】
【図１】本発明の１つの実施の形態に係る電気掃除機を示した図である。
【図２】図１に示される電気掃除機におけるサイクロン集塵機の構成を示した図である。
【図３】図２に示されるサイクロン集塵機における集塵容器の一例を示した図である。
【図４】図２に示されるサイクロン集塵機における集塵容器の他の例を示した図である。
【図５】図２に示されるサイクロン集塵機における集塵容器のさらに他の例を示した図である。
【図６】図２に示されるサイクロン集塵機における集塵容器のさらに他の例を示した図である。
【図７】集塵容器に発生した静電気の電位を低減させる電位低減部の一例を示した図である。
【図８】集塵容器に発生した静電気の電位を低減させる電位低減部の他の例を示した図である。
【符号の説明】
【００３５】
１  掃除機本体、２  吸引経路、３  吸込口体、４  電動送風機、５  サイクロン集塵機、６  プラス帯電材料、７  マイナス帯電材料、８  金属部分、８Ａ  金属めっき部分、９  樹脂部分、１０  放電ギャップ、１１  交流電源、１２  スイッチ、２１  延長管、２２  接続ホース、５１  サイクロン集塵室、５２  ダストカップ、５３  内筒フィルタ。
【図１】
2007330666.tif 000003
【図２】
2007330666.tif 000004
【図３】
2007330666.tif 000005
【図４】
2007330666.tif 000006
【図５】
2007330666.tif 000007
【図６】
2007330666.tif 000008
【図７】
2007330666.tif 000009
【図８】
2007330666.tif 000010